(57)【要約】【解決手段】被洗浄物Ｑを収納する収納体１０と、この収納体１０を支持する支持枠体２０とからなる。高圧洗浄用ノズルＰを挿入する収納体１０の開口上部に透明な被覆カバー３０を装着する。高圧洗浄用ノズルＰから噴射されて被洗浄物Ｑを洗浄した洗浄排水を排出せしめる排出ホース４０を前記収納体１０の底部１１に設ける。収納体１０は折りたたみ自在な耐水製シートで略箱体状に形成されている。支持枠体２０は折りたたみ自在に形成されると共に、収納体１０を略箱状に広げて支持するように設けている。【効果】周囲への飛散を防止する。室内での作業も可能になる。使用済みの洗浄水を回収することができる。【選択図】        図１
2004167383.tif 000002
【特許請求の範囲】
【請求項１】
被洗浄物を収納する収納体と、この収納体を支持する支持枠体とからなり、高圧洗浄用ノズルを挿入する収納体の開口上部に透明な被覆カバーを装着し、高圧洗浄用ノズルから噴射されて被洗浄物を洗浄した洗浄排水を排出せしめる排出ホースを前記収納体の底部に設けたことを特徴とする高圧洗浄用密閉形ケース。
【請求項２】
前記収納体は折りたたみ自在な耐水製シートで略箱体状に形成され、前記支持枠体は折りたたみ自在に形成され、前記収納体を略箱状に広げる支持脚と、内部の被洗浄物を支持する底枠体とを設けた請求項１記載の高圧洗浄用密閉形ケース。
【請求項３】
前記支持体における支持脚の上部に、前記収納体の開口側縁部の一方を連結支持する略水平な固定杆体と、この固定杆体に対向する他方の開口側縁部の両端を支持する左右一対の操作杆体とを有し、操作杆体がわから収納体の内部に高圧洗浄ノズルを挿入する請求項１又は２記載の高圧洗浄用密閉形ケース。
【発明の詳細な説明】
【０００１】
【発明の属する技術分野】
本発明は、例えばエアコン、洗濯機、レンジフードなどを分解して高圧洗浄する際に用いる高圧洗浄用密閉形ケースに関する。
【０００２】
【従来の技術】
従来、オフィス等で使用されているエアコンを装着位置で洗浄するには特殊なシートをエアコンの下に吊り下げて設置し、この状態で洗浄液や洗浄水を熱交換器に吹き付けて洗浄する作業が行なわれる。本発明者は、このような洗浄を行うためのエアコン洗浄装置を既に出願している（特許文献１、特許文献２参照）。
【０００３】
一方、仮設資材の汚れを高圧の洗浄水によって落とす際に、洗浄に使用した洗浄水を、汚れと共に一時貯留しておく高圧洗浄装置における洗浄滓集積ボックスが特許文献３に記載されている。
【０００４】
【特許文献１】
実用新案登録第３０５２８２７号公報
【特許文献２】
特開２０００−２７９８９７号公報
【特許文献３】
特開平１０‐２４４２３４号公報
【０００５】
【発明が解決しようとする課題】
ところが、特許文献１、特許文献２は、エアコンの下に洗浄シートを装着し、エアコンを取りつけたまま洗浄用のノズルを挿入して洗浄するものなので、エアコン、洗濯機、レンジフードなどを分解して高圧洗浄する場合に使用することはできなかった。そこで、取外した部品を洗浄する場合は、部品を屋外へ持ち出し路上や屋外などで高圧洗浄していたが、次のような問題があった。
【０００６】
第１に、繁華街では通行人が多いので、飛散した洗浄水や洗浄用薬品等が通行人にかからないように細心の注意が必要になっていた。また、作業者においても飛散した洗浄水等のはねかえりなどで濡れてしまう不都合もある。
【０００７】
第２に、高圧洗浄機を屋外にセッティングするので、雨天の作業時には、雨具を着用しての作業になり、高圧洗浄機が濡れて漏電する危険がある。また、取外した部品を屋外へ運ぶ手間も要する。
【０００８】
第３に、洗浄水をそのまま排水してしまうと、環境汚染につながるおそれがある。特に洗い落とされた油脂分などが洗浄現場を汚すだけでなく、洗浄に使用する薬剤が河川等を汚染する原因にもなる。
【０００９】
一方、特許文献３に記載された洗浄滓集積ボックスは、洗浄に使用した洗浄水を汚れと共に一時貯留しておく構成を採用している。ところが、この洗浄滓集積ボックスに洗浄水を貯めるには、漏斗状の案内枠を解して貯留するので、前記特許文献１、２と同様に、エアコン、洗濯機、レンジフードなどの部品を分解して高圧洗浄する際に使用することができなかった。
【００１０】
そこで、本発明は上述の課題を解消すべく創出されたもので、部品を分解して高圧洗浄する場合に、周囲への飛散を防止し、室内での作業も可能になり、使用済みの洗浄水を回収することができる高圧洗浄用密閉形ケースの提供を目的とするものである。
【００１１】
【課題を解決するための手段】
上述の目的を達成すべく本発明の第１の手段は、被洗浄物Ｑを収納する収納体１０と、この収納体１０を支持する支持枠体２０とからなり、高圧洗浄用ノズルＰを挿入する収納体１０の開口上部に透明な被覆カバー３０を装着し、高圧洗浄用ノズルＰから噴射されて被洗浄物Ｑを洗浄した洗浄排水を排出せしめる排出ホース４０を前記収納体１０の底部１１に設けたことにある。
【００１２】
第２の手段において、収納体１０は折りたたみ自在な耐水製シートで略箱体状に形成され、支持枠体２０は折りたたみ自在に形成され、前記収納体１０を略箱状に広げる支持脚２３と内部の被洗浄物を支持する底枠体２４とを設けている。
【００１３】
第３の手段は、支持体２０における支持脚２３の上部に、前記収納体１０の開口側縁部の一方を連結支持する略水平な固定杆体２１と、この固定杆体２１に対向する他方の開口側縁部の両端を支持する左右一対の操作杆体２２とを有し、これら操作杆体２２がわから収納体１０の内部に高圧洗浄ノズルＰを挿入するようにしたことを課題解消のための手段とする。
【００１４】
【発明の実施の形態】
以下、本発明の実施の形態を説明する。本発明の主要構成は、収納体１０、支持枠体２０、被覆カバー３０からなる（図１参照）。
【００１５】
収納体１０は、エアコン、洗濯機、レンジフードなどから分解した部品を被洗浄物Ｑとして収納する略箱体状を成す。図示の収納体１０は、折りたたみ自在な耐水製シートで略箱体状に形成している（図２参照）。この収納体１０は、底部１１の周囲に側面部１２を周設して上部が開口した箱体状を成す（図１参照）。
【００１６】
そして、側面部１２の開口縁のうち一側縁部に筒部１３を設け、この筒部１３に支持枠体２０の一部を挿入するようにしている（図５参照）。また、この筒部１３を設けた側縁に対向する側縁の両端部に係止フック１４を設け、この係止フック１４を支持枠体２０の一部に係止するように設けてある（図４参照）。
【００１７】
更に、収納体１０の底部１１に、被洗浄物Ｑを洗浄した洗浄排水を排出せしめる排出ホース４０を接続する（図２参照）。この収納体１０に被洗浄物Ｑを収納して洗浄するには後述する支持枠体２０に収納体１０を装着支持して使用する。
【００１８】
支持枠体２０は、前記収納体１０を支持するもので、折りたたみ自在に形成され、前記収納体１０を略箱状に広げる支持脚２３と、内部の被洗浄物Ｑを支持する底枠体２４とを設けている。図示例の支持枠体２０は、パイプを連結して形成したもので、前後の支持脚２３が左右の交叉部分で揺動するように連結している。そして、一方の支持脚２３上部に固定杆体２１を設け、他方の支持脚２３上端部を開放して操作杆体２２を形成している（図１参照）。
【００１９】
固定杆体２１は、収納体１０の筒部１３に挿入する略水平な杆体であり、収納体１０の開口側縁を支持している。この固定杆体２１は、長手中央部分で分割自在に形成してあり、この分割部分から筒部１３に挿入する（図５参照）。固定杆体２１は、収納体１０の開口部を支持すると共に、収納体１０の内部に収納した被洗浄物Ｑを立て掛ける際の支持具としても機能する。すなわち、収納体１０の開口部が、この固定杆体２１によって強固に支持されているので、この固定杆体２１より下方の収納体１０側面部１２に被洗浄物Ｑを立掛けることが可能になるものである。
【００２０】
操作杆体２２は、支持脚２３上部の端部が開口したパイプ材を使用している。そして、収納体１０の係止フック１４を操作杆体２２の端部に係止して、収納体１０の開口部を支持する（図４参照）。この操作杆体２２と前記固定杆体２１とが収納体１０の開口部を支持することで、収納体１０を箱体状に支持することができる（図２参照）。被洗浄物Ｑを洗浄する高圧洗浄用ノズルＰは、この操作杆体２２の間から収納体１０の内部に挿入する。すなわち、操作杆体２２で支持された収納体１０の開口部は、開口縁の両端部のみが支持されているので、操作杆体２２相互間の開口縁は自由に変化することが可能になる。したがって、高圧洗浄用ノズルＰの操作を容易にすることができる（図３参照）。
【００２１】
また、各支持脚２３相互に底枠体２４を装着し、この底枠体２４に収納体１０の底部１１を載置する（図１参照）。図示の底枠体２４は、支持脚２３の下部を略水平に連結している連結杆２５相互に底枠体２４の両端部を係止している。そして、収納体１０の底部１１に設けた排出ホース４０を、この底枠体２４を通して配設する。
【００２２】
被覆カバー３０は、収納体１０の開口上部に装着するもので、透明なシート材を用いている。この被覆カバー３０は、収納体１０の開口部に着脱自在に装着されるもので、図示例では、固定杆体２１で固定した筒部１３の近傍と、被覆カバー３０の一側縁とに複数個のスナップ１５、３１を設けて着脱自在に連結している（図１参照）。この被覆カバー３０は、収納体１０の開口部面積よりも広いシート材が使用され、操作杆体２２側まで広く覆っている（図３参照）。高圧洗浄用ノズルＰは、この被覆カバー３０と収納体１０との間から挿入し、透明な被覆カバー３０を通して内部を確認しながら洗浄するものである。
【００２３】
排出ホース４０は、収納体１０の底部１１に連結して、被洗浄物Ｑを洗浄したあとの洗浄排水を排出する。この排出ホース４０を介して洗浄排水を他の容器に貯めることで、本発明密閉形ケースを室内でも使用可能にすることができる（図示せず）。
【００２４】
【発明の効果】
本発明は、上述の如く構成したことにより、当初の目的を達成する。すなわち被洗浄物Ｑを収納する収納体１０と、この収納体１０を支持する支持枠体２０とからなり、高圧洗浄用ノズルＰを挿入する収納体１０の開口上部に透明な被覆カバー３０を装着し、高圧洗浄用ノズルＰから噴射されて被洗浄物Ｑを洗浄した洗浄排水を排出せしめる排出ホース４０を前記収納体１０の底部１１に設けたことにより、部品を分解して高圧洗浄する場合に、周囲への飛散を防止できる。また室内での作業も可能になり、使用済みの洗浄水を回収することも可能である。
【００２５】
更に、収納体１０は折りたたみ自在な耐水製シートで略箱体状に形成され、支持枠体２０も折りたたみ自在に形成されているので、収納体１０及び支持枠体２０をコンパクトにして収納・運搬することができる。しかも、収納体１０を略箱状に広げる支持脚２３と、内部の被洗浄物を支持する底枠体２４とを設けているので、収納体１０を設置する作業が容易になり、また、設置した収納体１０の内部に被洗浄物Ｑを収納する作業も容易である。
【００２６】
そして、支持体２０における支持脚２３の上部に、前記収納体１０の開口側縁部の一方を連結支持する略水平な固定杆体２１と、この固定杆体２１に対向する他方の開口側縁部の両端を支持する左右一対の操作杆体２２とを有し、これら操作杆体２２がわから収納体１０の内部に高圧洗浄ノズルＰを挿入するようにしているので、高圧洗浄用ノズルＰを極めて自由に操作することができる。
【００２７】
このように、本発明によると、部品を分解して高圧洗浄する場合に、周囲への飛散を防止し、室内での作業も可能になり、使用済みの洗浄水を回収することができる上、洗浄ノズルの操作性が良好になるなどといった有益な種々の効果を奏するものである。
【図面の簡単な説明】
【図１】本発明の一実施例を示す斜視図。
【図２】本発明の一実施例を示す分解斜視図。
【図３】本発明の使用状態を示す斜視図。
【図４】本発明の操作杆体を示す要部拡大斜視図。
【図５】本発明の固定杆体を示す要部拡大斜視図。
【符号の説明】
Ｐ  高圧洗浄用ノズル
Ｑ  被洗浄物
１０  収納体
１１  底部
１２  側面部
１３  筒部
１４  係止フック
１５  スナップ
２０  支持枠体
２１  固定杆体
２２  操作杆体
２３  支持脚
２４  底枠体
２５  連結杆
３０  被覆カバー
３１  スナップ
４０  排出ホース
【図１】
2004167383.tif 000003
【図２】
2004167383.tif 000004
【図３】
2004167383.tif 000005
【図４】
2004167383.tif 000006
【図５】
2004167383.tif 000007